(57)【要約】      （修正有）【課題】利用者が両手を自由にした状態で、利用者の足元を照らすことができるとともに、異常時に警報を発することもできる携帯性に優れた警報器付き懐中電灯を提供する。【解決手段】警報器付き懐中電灯は、懐中電灯本体１に、発光部６、警報音発生装置、離間した２か所に設けられたストラップ係止具３、発光部点灯スイッチ５、警報音発生スイッチ４、及び電池収納部を具備し、ストラップ係止具３に連結されたストラップ２で懐中電灯本体１を懸垂させた際、発光部６からの照射光が斜め下方向を向くようストラップ係止具３が懐中電灯本体１に設けられ、ストラップ係止具３の少なくとも１つは警報音発生スイッチ４に連結されて懐中電灯本体１と離脱可能であって、当該離脱により警報音発生装置が鳴動する。【選択図】図１
0003230789.tif 000002
【実用新案登録請求の範囲】
【請求項１】
懐中電灯本体に、発光部、警報音発生装置、離間した２か所に設けられたストラップ係止具、発光部点灯スイッチ、警報音発生スイッチ、及び電池収納部を具備せしめた警報器付き懐中電灯であって、
前記ストラップ係止具に連結されたストラップで懐中電灯本体を懸垂させた際、前記発光部からの照射光が斜め下方向を向くよう前記ストラップ係止具が前記懐中電灯本体に設けられるとともに、
前記ストラップ係止具の少なくとも１つは前記警報音発生スイッチに連結されて懐中電灯本体と離脱可能であって、当該離脱により警報音発生装置が鳴動する警報器付き懐中電灯
【考案の詳細な説明】
【技術分野】
【０００１】
本考案は、懐中電灯が警報器と一体化されて、災害時等に有用な警報器付き懐中電灯に関する。
【背景技術】
【０００２】
懐中電灯と警報器を一体化して携帯の利便性を図った携帯用ライト付き防犯ブザーは、下記特許文献１に記載されているように従来から知られている。
【先行技術文献】
【特許文献】
【０００３】
【特許文献１】特開昭５９−２０９２０１号公報
【考案の概要】
【考案が解決しようとする課題】
【０００４】
しかしながら、特許文献１は、携帯性には優れるものの、災害等で避難する際に利用者が足元を照らそうとすると、ライトを手で持った状態で使用せざるを得ず、両手を自由にしたいという要求を満たすことはできなかった。
また、両手を自由にするため、身体と一体化すべくヘルメットや腕等に装着できるよう構成したものも市販されているが、安定した照射方向を保つことができなかった。
【課題を解決するための手段】
【０００５】
本考案は、懐中電灯本体に、発光部、警報音発生装置、離間した２か所に設けられたストラップ係止具、発光部点灯スイッチ、警報音発生スイッチ、及び電池収納部を具備せしめた警報器付き懐中電灯であって、
前記ストラップ係止具に連結されたストラップで懐中電灯本体を懸垂させた際、前記発光部からの照射光が斜め下方向を向くよう前記ストラップ係止具が前記懐中電灯本体に設けられるとともに、
前記ストラップ係止具の少なくとも１つは前記警報音発生スイッチに連結されて懐中電灯本体と離脱可能であって、当該離脱により警報音発生装置が鳴動する警報器付き懐中電灯である。
【考案の効果】
【０００６】
上記のごとく、離間した２か所に設けられたストラップ係止具に連結したストラップで懐中電灯本体を懸垂させた際、前記発光部からの照射光が斜め下方向を向くよう前記ストラップ係止具を前記懐中電灯本体に設けることにより、利用者が災害等で避難する際にストラップを首にかければ、利用者は両手が自由に使え、かつ利用者の足元を照らすことができるとともに、発光部からの照射光が直接利用者の目に入ることがなく、歩行の視界を妨げる危険を避けることができる。
【図面の簡単な説明】
【０００７】
【図１】は、本考案の警報器付き懐中電灯の全体斜視図
【図２】は、本考案の警報器付き懐中電灯の回路図の一例
【図３】は、本考案の警報器付き懐中電灯の各種態様を示す図
【考案を実施するための形態】
【０００８】
本考案の実施例を以下に示すが、本考案を特定の態様に限定するものではない。
【実施例】
【０００９】
図１は本考案の警報器付き懐中電灯の全体斜視図であり、懐中電灯本体１の側面に発光部６、当該本体１の上面に発光部点灯スイッチ５、ストラップ係止具３、当該係止具３に連結されたストラップ２、警報音発生スイッチ４、電池収納部の蓋８が設けられ、本体１内には警報音発生装置、電池収納部（いずれも図示せず）が内蔵されている。
図２は、本考案の警報器付き懐中電灯の回路図の一例を示す。当該回路図中、９は警報音発生装置を示している。また、発光部点灯スイッチ５は２回路切り替えとしたが、図１で図示した端面に設けた発光部７は必要に応じて付設すれば良く、付設した場合は一般的な懐中電灯様の使用が可能である。また、端面に設けた発光部７を付設しない場合には、発光部点灯スイッチ５は１回路のスイッチで良い。
また、両発光部６、７に用いる光源は、電球、ＬＥＤ等いずれでも良いことはもちろんである。
【００１０】
警報音発生スイッチ４は、ストラップ係止具３と一体化したものであって、当該係止具３が本体から引き抜かれることにより前記スイッチ４が導通し、警報音発生装置９が鳴動する。警報音発生スイッチ４と一体化したストラップ係止具３は、懐中電灯本体１の端面に取り付けることも考えられるが、利用者が異常を感じた際、容易に引き抜けるよう、本体１の上面に取り付けることが好ましい。また、図１、２では警報音発生スイッチ４を１か所として図示したが、両方のストラップ係止具３に設け、警報音発生スイッチ４を並列に２個設けてもよい。
【００１１】
図３は、ストラップ係止具３に連結されたストラップ２で懐中電灯本体１を懸垂させた際、発光部６からの照射光が斜め下方向を向くようにストラップ係止具３を設ける各種態様を図示したものである。
（ａ）は本体１の横断面が四角形であって、その一側面に発光部６を設けた態様で、発光部から遠位となる上面に係止具３を設ければ良い。
（ｂ）は本体１の横断面の一辺が傾斜している例であって、その傾斜した辺となる傾斜面に発光部６を設けた態様を示しており、傾斜の程度に応じて上面中央部付近に設けることが可能である。
（ｃ）は、横断面が四角形の本体１内部に設けた傾斜面に発光部６を設けた態様であって、この態様にあっても上記（ｂ）と同様に上面中央部付近に設けることが可能である。
本体１の断面形状は（ａ）から（ｃ）のごとき角形に限らず、（ｄ）に図示するごとく、円形とすることもできる。この態様にあっては、発光部６の対向位置より少し発光部寄りの位置に係止具３を設ければ良い。
【００１２】
上記のごとく構成したので、災害等による夜間の避難時であってもストラップで本考案の警報器付き懐中電灯を首から下げて避難することにより、避難者が直立姿勢、前傾姿勢等のいずれの姿勢をとったとしても発光部からの直接光が避難者の眼に入ることなく足元を明るく照らして安全に避難可能である。加えて、異常時にはストラップ係止具を引き抜くことにより周囲の者に異常を知らせることもできる上、ストラップに大きな力が加わったとしても、ストラップ係止具が外れるため、首が締まる等の危険が回避できる。
また避難時に限らず、停電時に壁から垂下すれば壁前方の広い範囲を照射可能となるし、玄関先に垂下すれば、玄関周辺を照射可能であるとともに、不審者が来訪した際、ストラップ係止具を引き抜けば近隣宅に異常を知らせることもできる。
【００１３】
特に端面に設けた発光部７を付設した場合には、日常的に用いる懐中電灯と同じ使い方ができるので、防災用と区別することなく日常的に利用でき、点検整備を怠ったために生じる電池消耗による非常時の不点灯等を防止することができる。
【符号の説明】
【００１４】
１…懐中電灯本体
２…ストラップ
３…ストラップ係止具
４…警報音発生スイッチ
５…発光部点灯スイッチ
６…発光部
７…端面に設けた発光部
８…電池収納部の蓋
９…警報音発生装置
１０…電池
【図１】
0003230789.tif 000003
【図２】
0003230789.tif 000004
【図３】
0003230789.tif 000005